(57)【要約】アイドル期間中にＡＴと基地局との間の同期を維持するための方法が提供される。アイドル期間中に、アップリンク・チャネル品質推定のための低減された数のアップリンク基準信号がＡＴによって基地局に送信される。アップリンク基準信号が、スケジューリングのためのコヒーレント変調およびアップリンク・チャネル品質推定を支援するために送信される。アップリンク・アイドル期間中には、アップリンク基準信号の数が選択的コヒーレント帯域幅で低減されるように設計される。コヒーレント帯域幅の選択は、スペクトル全体によってチャネル品質推定を可能にするために、適時に交替し、スペクトル全体をカバーする。
2009535982.tif 000002
【特許請求の範囲】
【請求項１】
無線リソースを管理するための方法であって、
少なくとも１つの基準信号をアクティブ状態中に第１の速度で送信するステップと、
少なくとも１つの基準信号をアイドル期間中に第２の速度で送信するステップと
を含む方法。
【請求項２】
前記第１の速度が、前記第２の速度より高い、請求項１に記載の方法。
【請求項３】
少なくとも１つの基準信号を前記アイドル期間中に前記第２の速度で送信するステップが、少なくとも１つの基準信号を複数の帯域幅を介して送信するステップをさらに含む、請求項１に記載の方法。
【請求項４】
少なくとも１つの基準信号を前記複数の帯域幅を介して送信するステップが、少なくとも１つの基準信号を前記複数の帯域幅を介して順次送信するステップをさらに含む、請求項３に記載の方法。
【請求項５】
少なくとも１つの基準信号を前記複数の帯域幅を介して送信するステップが、少なくとも１つの基準信号がそれを介して送信される前記帯域幅を交互に替えるステップをさらに含む、請求項３に記載の方法。
【請求項６】
少なくとも１つの基準信号を前記アイドル期間中に前記第２の速度で送信するステップが、予め選択された設定ポイントより長い前記アイドル期間に応答して、前記少なくとも１つの基準信号の前記送信を中止するステップをさらに含む、請求項１に記載の方法。
【請求項７】
前記基準信号に基づいてチャネル品質を推定するステップをさらに含む、請求項１に記載の方法。
【請求項８】
前記第２の速度で送信された前記基準信号に基づいて前記アイドル期間中に同期を維持するステップをさらに含む、請求項７に記載の方法。
【請求項９】
少なくとも１つの基準信号を前記アイドル期間中に前記第２の速度で送信するステップが、前記少なくとも１つの基準信号を１つの選択的コヒーレント帯域幅だけで一度に送信するステップをさらに含む、請求項１に記載の方法。
【請求項１０】
少なくとも１つの基準信号を前記アイドル期間中に第２の速度で送信するステップが、前記少なくとも１つの基準信号を複数の選択的コヒーレント帯域幅で順次送信するステップをさらに含む、請求項１に記載の方法。
【発明の詳細な説明】
【技術分野】
【０００１】
本発明は、一般に、電気通信に関し、より詳細には、無線通信に関する。
【背景技術】
【０００２】
セルラ電話などの無線電気通信の分野では、図１に示されているように、典型的なシステム１００は、システムによってサービスを提供されるエリア内に分散された複数の基地局１３０（例えば、ノードＢ）を含む。その場合、エリア内の様々なアクセス端末１２０（ユーザ機器ＵＥ、モバイル・デバイスなどとしても知られている、ＡＴ）は、システムにアクセスすることができ、したがって、基地局１３０のうちの１つまたは複数を介して、公衆交換電話網ＰＳＴＮ１６０およびデータ・ネットワーク１２５など、他の相互接続された電気通信システムにアクセスすることができる。通常、ＡＴ１２０は、移動しながら次から次へと別の基地局１３０と通信することによって、エリアを通過しながらシステム１００との通信を維持する。ＡＴ１２０は、最も近い基地局１３０、最も強い信号を有する基地局１３０、通信を受け容れるのに十分な容量を有する基地局１３０などと通信することができる。次に、基地局１３０は、コアネットワーク１６５と通信する無線ネットワークコントローラＲＮＣ１３８と通信する。各ＲＮＣ１３８は、複数の基地局１３０をサポートすることができる。
【０００３】
ユニバーサル移動電話システムＵＭＴＳ長期進化ＬＴＥ版を利用するシステムでは、ＡＴ１２０から基地局１３０への（すなわち、アップリンク）通信は、システム帯域幅利用を増やすためにパケット交換システムを使用して遂行される。しかし、アップリンクにおける通信のスケジューリングは、通常、パフォーマンスを最適化するために、逆方向（すなわち、ダウンリンク）からのフィードバックおよび制御情報に依存するハイブリッド自動再送要求ＨＡＲＱなどの方式を利用してきた。フィードバック情報のかなりの部分は、その時間に敏感な性質および小さいパケットサイズを特徴とする。そのような双方向インタラクティブシステムにおけるデータ到着のタイミングは、アップリンク・オンデマンド・タイプ・スケジューリング方式のシステム設計における予見可能な難問を提示する。
【０００４】
フィードバックおよび制御情報（例えば、アップリンク・パイロット、データ、およびＬ１／Ｌ２制御シグナリングに関連するデータ）のための多重化方式は、ＴＲ２５．８１４の節９．１．１．２．３、Ｐｈｙｓｉｃａｌ  Ｌａｙｅｒ  Ａｓｐｅｃｔｓ  ｆｏｒ  Ｅｖｏｌｖｅｄ  ＵＴＲＡ、３ＧＰＰに詳述されている。この多重化方式は、無線リソース制御ＲＲＣ接続状態／ＬＴＥアクティブ・モードにおけるアクティブ・モードで動作するように設計される。たいていの技術およびアクセス制御研究は、比較的長いデータ送信期間を有するアクティブ・モードにフォーカスする。アイドル期間および過渡期間中に使用されることができる多重化方式および制御方式は、この技術報告書では十分には対処されていない。
【０００５】
しかし、パケット・タイプ・システムにおける一般的ガイドラインは、電力およびリソースを節約するために、アイドル期間が長い場合は接続をシャットダウンすることである。しかし、接続がシャットダウンされた後は、ＡＴ１２０は、アイドル期間終了後、接続を再要求しなければならない。しかし、接続を再要求するために使用されるプロセスは複雑で、比較的効率が低い。
【非特許文献１】ＴＲ２５．８１４の節９．１．１．２．３、Ｐｈｙｓｉｃａｌ  Ｌａｙｅｒ  Ａｓｐｅｃｔｓ  ｆｏｒ  Ｅｖｏｌｖｅｄ  ＵＴＲＡ、３ＧＰＰ
【発明の開示】
【発明が解決しようとする課題】
【０００６】
本発明は、上記で説明された問題のうちの１つまたは複数の影響に対処することを対象とする。下記は、本発明のいくつかの態様の基本的理解を提供するために、本発明の簡略化された概要を提示する。この概要は、本発明の網羅的な概観ではない。この概要は、本発明の主要なまたは不可欠な要素を識別すること、あるいは本発明の範囲を概説することを意図するものではない。この概要の唯一の目的は、後ほど議論されるより詳細な説明の序としていくつかの概念を簡略化された形で提示することである。
【課題を解決するための手段】
【０００７】
本発明の一態様では、無線リソースを管理するための方法が提供される。本方法は、アクティブ状態中には基準信号を第１の速度で送信し、アイドル期間中には基準信号を第２の速度で送信するステップを含む。
【０００８】
本発明の他の態様では、無線リソースを管理するための方法が提供される。本方法は、アクティブ状態中には基準信号を第１の速度で受信し、アイドル期間中には基準信号を第２の速度で受信するステップを含む。
【０００９】
本発明は、同様の参照数字は同様の要素を識別する添付の図面に関連して行われる以下の説明を参照することによって理解されることができる。
【００１０】
本発明は、様々な変更形態および代替形態が可能であるが、本発明の特定の実施形態が、図面に例として示されており、本明細書で詳細に説明される。しかし、本明細書における特定の実施形態の説明は、開示された特定の形態に本発明を限定することを意図するものではなく、それとは逆に、その意図は、添付の特許請求の範囲によって定義されている本発明の趣旨および範囲に入る全ての変更形態、同等形態、および代替形態を含むことであることを理解されたい。
【発明を実施するための最良の形態】
【００１１】
本発明の例示的実施形態が下記で説明される。明確にするために、必ずしも実際の実施形態の全ての特徴が本明細書で説明されなくてもよい。もちろん、任意のそのような実際の実施形態の開発では、実施形態ごとに異なる可能性があるシステム関連およびビジネス関連の制約を満たすことなど、開発者の特定の目標を達成するために、多数の実施形態固有の決定が行われてもよいことが理解されるであろう。さらに、そのような開発作業は、複雑で時間がかかる可能性があるであろうが、それでもなお、本開示の利益を受ける当業者にとっては決まりきった仕事であり得ることが理解されるであろう。
【００１２】
本発明の一部およびそれに対応する詳細な説明は、ソフトウェア、またはコンピュータメモリ内のデータビットに対する処理のアルゴリズムおよび記号表現によって提示される。これらの説明および表現は、当業者が自分の作業の内容を他の当業者に効果的に伝えるためのものである。アルゴリズムは、この用語が本明細書で使用される場合、および一般に使用される場合、所望の結果につながる首尾一貫した一連のステップであると考えられる。それらのステップは、物理量の物理的操作を必要とするものである。通常、必ずしもではないが、これらの量は、記憶、転送、結合、比較、および、そうでなければ、操作されることができる光信号、電気信号、または磁気信号の形をとる。これらの信号を、ビット、値、要素、記号、文字、用語、数などと呼ぶことが、主に一般的な使用のために、時々好都合であると分かっている。
【００１３】
しかし、これらのおよび類似の用語は全て、適切な物理量に関連付けられ、単にこれらの量に貼り付けられた便利なラベルであることに留意されたい。別途明記されていない限り、あるいは、議論から明らかなように、用語「処理する」、「計算する」、「算出する」、「判定する」、または「表示する」などは、コンピュータシステムのレジスタおよびメモリ内の物理量、電子量として表されたデータを操作し、コンピュータシステムメモリ、またはレジスタ、あるいは他のそのような情報記憶装置、伝送装置または表示装置内の物理量として同様に表される他のデータに変換するコンピュータシステムまたは類似の電子コンピューティング装置の動作およびプロセスを指す。
【００１４】
また、本発明のソフトウェアで実施される態様は、通常、何らかの形態のプログラム記憶媒体にエンコードされるか、または何らかのタイプの伝送媒体を介して実施されることにも留意されたい。プログラム記憶媒体は、磁気（例えば、フロッピー（登録商標）ディスクまたはハードドライブ）あるいは光（例えば、コンパクト・ディスク読出し専用メモリ、または「ＣＤ  ＲＯＭ」）でもよく、読出し専用またはランダムアクセスでもよい。同様に、伝送媒体は、対より線、同軸ケーブル、光ファイバ、または当業者に知られている何らかの他の適切な伝送媒体でもよい。本発明は、いかなる所与の実施形態のこれらの態様によっても限定されない。
【００１５】
次に、本発明は、添付の図面を参照しながら説明される。様々な構造、システム、および装置が、説明のためだけに、および、当業者によく知られている詳細で本発明を分かりにくくしないように、図面に概略的に示されている。それにもかかわらず、添付の図面は、本発明の実施例を記述し説明するために含まれる。本明細書で使用される語句は、当業者によるそれらの語句の理解と矛盾しない意味を有すると理解し解釈されたい。本明細書での用語または句の一貫した使用によって、用語または句の特別な定義、すなわち、当業者によって理解される普通の習慣的な意味と異なる定義が含意されることを意図するものではない。ある用語または句が特別な意味、すなわち、当業者によって理解される以外の意味を有することが意図される場合は、そのような特別な定義は、その用語または句に対する特別な定義を直接かつ明白に提供する定義的なやり方で、本明細書で明示的に述べられる。
【００１６】
上記で論じられたＴＲ２５．８１４の節９．１．１．２．３に記載されているアップリンク多重化および制御方式は、サブフレーム内のアップリンク・パイロット、データ、およびＬ１／Ｌ２制御シグナリングのための３つの多重結合を詳述している。データおよび制御情報のアップリンク送信周波数およびデータ構造は、連続的アクティビティに基づいてスケジューラおよびイネーブル技術のパフォーマンスを最適化するように設計される。アップリンク・アクセスおよび送信は、システム・パフォーマンス全体を最適化するために、（ｅノードＢとしても知られている）基地局１３０によって主に制御される。アップリンク・アクセス手法は、無線リソース利用を最大化するオンデマンド・タイプのアクセスと考えられる。データ・チャネルおよび制御チャネルは、アップリンク・アイドル中または過渡状態中には切断されると考えられる。アップリンク状態がアイドル状態からアクティブ状態に変更された場合、アップリンク・アクセス要求が再開される。アイドル状態中にアップリンク物理チャネルを完全にシャットダウンする代償は、アップリンク同期の損失である。アップリンク同期の損失は、アップリンク再アクセスを可能にする以下の手順を行うことを必要とするであろう。
・非同期ランダム・アクセス・チャネルＲＡＣＨ手順――非同期アクセス手順のパフォーマンスは、アップリンク・アクセス要求が非常に頻繁に受信された場合、劣化させられる。これは、ゲーミング・アップリンクおよびボイス・オーバ・インターネット・プロトコルＶｏＩＰアプリケーションなどのインタラクティブ・アプリケーションおよび会話アプリケーションではかなり頻繁に生じる可能性があるであろう。
・アップリンク同期手順およびタイミング調整。
・アップリンク・スケジューラのための無線チャネル品質推定の初期トレーニング。
【００１７】
前述の手順は、無線リソース使用の点から見て時間がかかり費用がかかる。失われた同期のコストは、アップリンク・トラフィックが長い到着時間間隔を有する場合、無線リソース利用の利得と比べて比較的小さい。しかし、ダウンリンク送信のためのＡｃＫ／ＮＡＣＫおよびＣＱＩ報告などのＬ１／Ｌ２フィードバック制御シグナリング情報が、アップリンク・アイドル期間中の連続的ダウンリンク送信のために必要とされる可能性があるであろう。
【００１８】
他方、アイドル期間中にアップリンク物理チャネルを継続することは、システムが、アップリンク同期を維持し、データが到着したときにアップリンク送信を即座にスケジュールすることができるようにするであろう。アイドル期間が長い場合、アイドル状態中にアップリンク物理チャネルを維持する結果として、無線リソース利用は減少するであろう。アイドル期間中のアップリンク物理チャネル構造は、少なくとも２つの重要な設計考慮事項を有する。アイドル期間中のアップリンク物理チャネル設計の第１の考慮事項は、ダウンリンク送信のためのアップリンク・フィードバック・チャネル設計である。アップリンク・フィードバック・チャネルは、ダウンリンク送信のために、ＡｃＫ／ＮＡＣＫおよびＣＱＩ報告などの制御情報を搬送する。ダウンリンク・トラフィック到着およびアップリンク・トラフィック到着は時間においておよびパターンにおいて相関関係がないので、アップリンク・フィードバック・チャネルの考慮事項は、アップリンク・アイドル期間中の他の制御情報から分離されるべきである。
【００１９】
アップリンク物理チャネル設計の第２の考慮事項は、アップリンク・データ送信のためのパイロットおよびＬ１／Ｌ２制御情報である。アップリンク・アイドル状態中のアップリンク・パイロットおよび制御シグナリングは、頻繁な非同期ＲＡＣＨアクセスおよびアップリンク再同期を回避するために使用される。アップリンク・パイロット送信の設計はまた、アップリンク・スケジューラのためのアップリンク無線チャネル状態の可用性を内包する。
【００２０】
ＬＴＥにおける帯域幅オンデマンド・タイプのアップリンク・シングル・キャリア周波数分割多元接続ＳＣ−ＦＤＭＡシステムは、アップリンク送信のための柔軟な帯域幅割当および管理を可能にする。しかし、それは、小さいフィードバック情報のために最小オーバヘッドを設計する際に難問を提示する。ダウンリンク送信に関するアップリンクＡｃＫ／ＮＡＣＫおよびＣＱＩ報告が、いかなるアップリンク・アクティビティにも関係なく必要とされる。ＡＴ１２０はダウンリンク・パケット到着に関する情報を有しないので、ＡＴ１２０はダウンリンク・スケジューラに関するＣＱＩ報告を絶えず送信する。ＡｃＫ／ＮＡＣＫは、ＨＡＲＱ動作に関する時間に敏感な情報である。したがって、アップリンクＡｃＫ／ＮＡＣＫ送信のための周波数および時間におけるリソース割当は、絶えずスケジュールされてもよく、または前もって構成されてもよい。ダウンリンク送信はセル内の全てのアクティブ・ユーザの間での連続アクティビティなので、システム内の全てのユーザによって共用されるアップリンク・フィードバック・チャネルのために無線リソースの一部分を（時間で、周波数で、または時間と周波数の両方で）区分することが、より効率がよいであろう。フィードバック情報の頻度および報告タイプは、構成パラメータであり得る。アップリンク高速フィードバック・チャネルの帯域幅割当は、現在のシステム負荷に基づいてブロードキャストまたはスケジューラ表示チャネルによって動的であり得るであろう。アップリンク高速フィードバック・チャネルの無線リソース割当はまた、アップリンク同期を維持することを可能にする。アップリンク同期を維持することは、アップリンク・アクセスを再取得する複雑な非同期手順のコストを低減するであろう。
【００２１】
図２は、複数の帯域幅動作のための制御チャネルの周波数割当の例である。制御チャネルは、ダウンリンク送信のためのハイブリッド自動再送要求Ｈ−ＡＲＱチャネルのためのチャネル品質表示ＣＱＩ報告、および肯定応答／否定応答（ＡｃＫ／ＮＡＣＫ）フィードバックを含む。制御チャネルは、スペクトルの中央部分２００が、様々な帯域幅で動作するＡＴ１２０がシステムにアクセスするために使用する一意の場所であるように、割り当てられる。制御チャネルの周波数割当は、モバイルが様々な帯域幅（例えば、１．２５Ｍｈｚ、２．５ＭＨｚ、５ＭＨｚ、１０ＭＨｚ、１５ＭＨｚ、２０ＭＨｚなど）で動作している場合、ＡＴ１２０が、高速フィードバックのために、送信搬送波周波数をスペクトルの中央部分に合わせるように設計される。周波数の中央部分２００における高速フィードバック・チャネル２０５は、無線リソース管理のためになる。
【００２２】
スケール可能な帯域幅をサポートするために、アップリンク高速フィードバック・チャネル２０５は、フィードバックが、図２に示されているように、スケーラブルな帯域幅１．２５／２．５／５／１０／１５／２０ＭＨｚから事実上同時に生じることができるようにするために中央リソース・ブロック２００に割り当てられる。すなわち、１．２５ＭＨｚの低減された帯域幅で動作するように構成された比較的複雑でないＡＴ１２０と、２０ＭＨｚの拡張された帯域幅で動作するように構成された比較的複雑なＡＴ１２０は、両方とも、事実上同時にフィードバックを提供することができる。高速フィードバック・チャネル２０５のための無線リソース構成は、セル間の効果的なフィードバック報告のために干渉軽減方式に組み込まれる必要がある。高速フィードバック・チャネルのために構成された長いブロックの数は、ＣＱＩ報告の長さおよびＨＡＲＱタイプに応じてＬ１／Ｌ２／Ｌ３シグナリングによって柔軟であり得るであろう。
・ＣＱＩ報告――ＣＱＩ報告の長さは、周波数選択的スケジューラまたは多入力多出力ＭＩＭＯなどのイネーブル技術によって決まる。ＣＱＩ報告の異なる長さ、フォーマット、コーディング保護、および送信される周波数が、様々なイネーブル技術のためのＣＱＩオーバヘッドを最小化するためにサポートされることができるであろう。ＣＱＩ報告のアップリンク無線リソースおよびパラメータは、コール・セットアップの初めにＬ３シグナリングによって構成され、フライ上のＬ１／Ｌ２／Ｌ３シグナリングによって動的に再構成されることができるであろう。適時の一定のＣＱＩ報告はまた、アップリンク・スケジューラに関するアップリンク・チャネル品質推定の基準を提供する。
・ＡｃＫ／ＮＡＣＫ――各ＨＡＲＱプロセスに関連するＡｃＫ／ＮＡＣＫフィードバック。アップリンク・リソース・ブロックが前もって高速フィードバック・チャネルのために保持され、ユーザによって共用される場合、ＡｃＫ／ＮＡＣＫフィードバックのための周波数サブキャリアおよび所与のサブフレームの記号の表示は、各ＨＡＲＱプロセッサのＭＡＣオーバヘッド上にピギーバックされることができるであろう。複数のタイプのＡｃＫ／ＮＡＣＫフィードバック・エラー保護がサポートされることができるであろう。エラー保護のタイプは、コール・セットアップの初めにＬ３シグナリングによって構成され、コールの最中にＬ１／Ｌ２／Ｌ３シグナリングによって再構成されることができるであろう。これらは、スケジューラが、ＨＡＲＱ動作のためにダウンリンク・リソースを割り当て、同時に、ＡｃＫ／ＮＡＣＫ動作のためにその関連するアップリンク・リソースを割り当てることができるようにするであろう。
【００２３】
ＬＴＥでのパケット交換アップリンク・スケジューリング・システムは、ＡＴ１２０と基地局１３０との間の帯域幅要求および割当における頻繁な通信を除いて、アップリンク・アクセスの柔軟な帯域幅管理を可能にする。アップリンク・スケジューラは基地局１３０に配置されるので、アップリンク・アクセスの難問は、データ・バーストごとにＡＴ１２０がスケジューリング要求を基地局１３０に効果的に送信することである。ＴＲ２５．８１４における図９．１．１．２３−１および９．１．１．２３−２に示されているアップリンク・パイロット、データ、および制御シグナリング方式は、アクティブ・モードのために設計される。アップリンク高速フィードバック・チャネル設計は、ＡＴ１２０が共用無線リソースでＣＱＩを絶えず報告するだけでなく、アップリンク同期を維持することもできるようにする。一定のアップリンクＣＱＩ報告は、アップリンク・スケジューラに粗いアップリンク・チャネル品質推定を提供することができる。欠落アップリンク・パイロットは、アップリンク・スケジューラが周波数選択的スケジューリング利得を取得するのを妨げる。アップリンク・パイロットが再開始された場合、トレーニング期間が必要とされる。アップリンク・パイロットがアイドル期間中に送信された場合、アップリンク無線リソース利用はセル内のユーザの数に比例して減少する。ＴＲ２５．８１４の９．１．１．２．３におけるパイロット構造は、パイロットにショート・ブロック記号内の全ての物理リソース・ブロックを横断させるように設計される。ＦＤＭパイロットでは、各ユーザは各リソース・ブロックで１つのパイロット・サブキャリアを占めた。したがって、最大１２のＡＴ１２０が短いブロック間隔でパイロットを送信することができる。全てのリソース・ブロックのためにパイロットを保持することは、アップリンク・アイドル期間中に必ずしも必要でない可能性があるであろう。
【００２４】
本発明の一実施形態では、パイロット送信が選択的リソース・ブロックでアップリンク・アイドル期間中に一度に行われて、図３に示されているように、他のＡＴ１２０がそのアイドル期間内に残り全ての選択されていないリソース・ブロック内の使われていないサブキャリアを使用することができるようにする。特定のＡＴ１２０のパイロット３１０は、図３の要素３００によって示されているように、アクティブ状態中にスペクトル全体で送信される。ＡＴ１２０は、要素３０５によって示されているように、アイドル期間中に帯域幅全体をカバーするために、次から次へと別の時間に交互に１つの選択的コヒーレント帯域幅だけでパイロットを送信する。図３における一例は、パイロット３１０が、アイドル期間中に短いブロック・インスタンスごとに、第１、第２、第３から第Ｎまでのコヒーレント帯域幅の順番で送信されることを示す。低減された数のアップリンク・パイロットは、より多くのユーザがアイドル期間中に短いブロックを共用することができるようにする。交互コヒーレント帯域幅割当手法はまた、データが到着したときにスケジューラがアップリンク送信をスケジュールするのに十分なアップリンク無線チャネル品質情報を提供する。
【００２５】
図３は、アップリンク・データがバッファに記憶されておらず、スケジュールされた送信をすることができる状態になっていないとき（すなわち、アイドル期間）のアップリンク・チャネル品質推定のための低減された数のアップリンク基準信号の一例である。アップリンク基準信号は、スケジューリングのためのコヒーレント変調およびアップリンク・チャネル品質推定を支援するために送信される。送信に関するデータのないアップリンク・アイドル期間中には、アップリンク基準信号の数が選択的コヒーレント帯域幅で低減されるように設計される。コヒーレント帯域幅の選択は、スペクトル全体によってチャネル品質推定を可能にするために、適時に交替し、スペクトル全体をカバーする。図３は、アップリンク・データがスケジュールされた送信をすることができる状態になっていないときの低減されたアップリンク基準信号のシフト・バージョンを示す。アップリンク基準信号（３１０）は、アクティブ状態（３００）の全てのコヒーレント帯域幅を介して送信される。基準信号（３１０）は、１つの選択的コヒーレント帯域幅でだけ一度に送信され、アイドル状態（３０５）で次のコヒーレント帯域幅に交替にする。
【００２６】
アイドル期間中のパイロット割当および選択的パターンは、コール・セットアップの初めに構成されることができるであろう。アイドル期間中の適時の交替による選択的コヒーレント帯域幅内のパイロットへの、アクティブ期間中のフル・スペクトル内のパイロットの遷移は、Ｌ１／Ｌ２シグナリングによって示されることができるであろう。ＡＴ１２０は、基地局１３０に、データ・バーストの終わりにピギーバックされたＬ１／Ｌ２シグナリングによってアクティブ期間からアイドル期間への遷移を通知することができるであろう。アイドル期間からアクティブ期間への遷移は、アップリンク・スケジューリング要求によって暗示的に示されることができるであろう。
【００２７】
アイドル期間中の選択的コヒーレント帯域幅におけるアップリンク高速フィードバック・チャネルおよびパイロット送信は、システムがスケジューリングのためのアップリンク同期および無線チャネル品質表示を保持することができるようにする。この設計は、短い到達時間間隔の間に実行可能である。アイドル期間またはパケット到着時間間隔が長い場合は、選択的パイロット送信方式は冗長でもよいであろう。アップリンクとダウンリンクの両方が長いアイドル期間にある場合は、アップリンク同期を維持する理由はない。データ到着間の長さは、高速フィードバック・チャネル設計の効率を決定する。しかし、データ到着間は予見可能なイベントではない。データ到着時間間隔が長いか短いか予測することは難しい。
【００２８】
図４に示されているように、データ到着時間間隔の長さを決定するために３状態機械４００が定義される。３状態機械４００は、アクティブ状態４０５、過渡状態４１０、およびアイドル状態４１５から成る。アクティブ状態４０５は、データがアクティブに到着する場合の状態である。アイドル期間は、過渡状態４１０およびアイドル状態４１５を含む。過渡状態４１０は、「短い」アイドル期間を識別または表示するために使用される。過渡状態４１０では、スケジューリングのためのアップリンク・チャネル品質表示のためのアップリンク同期および選択的パイロットが保持される。アイドル状態４１５は、長いアイドル期間のために指定される。アップリンク物理リソースは、アイドル状態４１５中は除去されるであろう。状態機械４００は、アイドル期間が始まるとアクティブ状態４０５から過渡状態４１０に遷移する。プログラマブル・タイマは、状態機械４００がいつ過渡状態４１０に遷移するか決定するように設定されることができる。タイマが切れる前にデータが到着しない場合は、状態機械４００は過渡状態４１０からアイドル期間４１５に遷移する。他方、タイマが切れる前にデータが到着した場合は、状態機械４００は、過渡状態４１０からアクティブ状態４０５に遷移する。状態遷移は図４に示されている。
【００２９】
アクティブ・モード中のアイドル期間におけるアップリンク・アクセス制御方式は、システム・パフォーマンス全体にとって有益であろうと思われる。アップリンク高速フィードバック・チャネルは、アイドル期間におけるダウンリンク送信のための柔軟な帯域幅割当およびフィードバック・フォーマットを可能にするように設計される。アップリンク高速フィードバック・チャネル設計はまた、システムがアップリンク同期を維持することができるようにする。交互割当による選択的パイロットは、スケジューラがアップリンク・アイドル期間中のデータ・スケジューリングの準備のためにアップリンク・チャネル品質を保持することを可能にするであろう。長いアップリンク・アイドル期間は、高速アクセス・チャネル設計を悪化させるであろう。３状態機械は、システムがアイドル期間の長さを識別することができるようにするように定義される。３状態機械はまた、アイドル期間が長い場合、システムがアップリンク無線リソースをシャットダウンすることができるようにする。
【００３０】
本明細書で様々な実施形態において例示された様々なシステム層、ルーチン、またはモジュールは、実行可能な制御ユニットでもよいことを当業者は理解するであろう。コントローラには、マイクロプロセッサ、マイクロコントローラ、デジタル信号プロセッサ、プロセッサ・カード（１つまたは複数のマイクロプロセッサまたはコントローラを含む）、あるいは他の制御装置または計算装置があり得る。この議論で言及される記憶装置は、データおよび命令を記憶するための１つまたは複数の機械可読記憶媒体を含んでもよい。記憶媒体には、ダイナミックまたはスタティック・ランダム・アクセス・メモリ（ＤＲＡＭまたはＳＲＡＭ）、消去可能プログラマブル読出し専用メモリ（ＥＰＲＯＭ）、電気的消去可能プログラマブル読出し専用メモリ（ＥＥＰＲＯＭ）およびフラッシュ・メモリなどの半導体メモリ・デバイス、固定ディスク、フロッピー（登録商標）ディスク、取り外し可能ディスクなどの磁気ディスク、テープを含めて磁気媒体、およびコンパクト・ディスク（ＣＤ）またはデジタル・ビデオ・ディスク（ＤＶＤ）などの光媒体を含めて、様々な形態のメモリがあり得る。様々なシステムで様々なソフトウェア層、ルーチン、またはモジュールを構成する命令は、それぞれの記憶装置に記憶されてもよい。命令は、コントローラによって実行される場合、対応するシステムに、プログラムされた動作を行わせる。
【００３１】
本発明は、本明細書における教示の利益を受ける当業者には明らかな、異なるが同等のやり方で変更され実施されてもよいので、上記で開示された特定の実施形態は例示だけである。さらに、添付の特許請求の範囲に記載されたもの以外、本明細書に示されている構成または設計の詳細に対する限定は何も意図されていない。したがって、方法、システムおよびそれらの部分、ならびに記載された方法およびシステムの部分は、無線ユニット、基地局、基地局コントローラ、および／または移動交換局など、異なる場所で実施されてもよい。さらに、記載されたシステムを実施および使用するのに必要とされる処理回路は、本開示の利益を受ける当業者によって理解されるであろうように、特定用途向け集積回路、ソフトウェア駆動処理回路、ファームウェア、プログラマブル・ロジック・デバイス、ハードウェア、個別構成要素、または上記構成要素の配列物で実施されてもよい。したがって、上記で開示された特定の実施形態は、改変または変更されてもよく、全てのそのような変形形態は、本発明の範囲および趣旨の中にあるとみなされることは明らかである。したがって、本明細書で求められる保護は、添付の特許請求の範囲に記載されている。
【図面の簡単な説明】
【００３２】
【図１】本発明の一実施形態による、ユニバーサル移動電話システム（ＵＭＴＳ）など、従来技術の通信システムのブロック図である。
【図２】複数の帯域幅動作のための制御チャネルの周波数の例示的割当を形式的に表す図である。
【図３】アイドル期間中のアップリンク・チャネル品質推定のための低減された数のアップリンク基準信号を形式的に表す図である。
【図４】ＡＴ１２０が動作することができる様々な状態を表す状態図である。
【図１】
2009535982.tif 000003
【図２】
2009535982.tif 000004
【図３】
2009535982.tif 000005
【図４】
2009535982.tif 000006
【国際調査報告】
2009535982.tif 000007
2009535982.tif 000008